(57)【要約】【課題】簡単に設置出来るシステムの組合せで、一般的壁掛けエアコンから出る空気の流れを身体にやさしい風に変化させることが出来る「風・コントロール・アタッチメント」を提供すること。【解決手順】一般的壁掛けエアコンの上下を「エアコンはさみ込み棒」５、６と「ひっぱりゴム材」９で「風・コントロール・アタッチメント」をはさみ込むことで設置し「メッシュ面」１を「可動ひも」７や、「ひもストッパー」８などの部材を利用し「風・コントロール・アタッチメント」が出来るように組立てる。しかも、全ての部材はコネクター部品を利用したノックダウン方式で組み立てている。【選択図】図１
0003130053.tif 000002
【実用新案登録請求の範囲】
【請求項１】
一般的、事務所や家庭で使われている壁掛式エアコンに取り付けて使用する、フレームに貼られたメッシュ面で、上記エアコンから出る「風・コントロール・アタッチメント」。
【請求項２】
請求項１に記載する「風・コントロール・アタッチメント」は、各部分から簡単に組立られることも出来ると同時に一般的エアコンに棒状取付け具をワンタッチで簡単にセット出来る構造を有している。
【請求項３】
請求項１に記載する「風・コントロール・アタッチメント」の取付け具は３ヶ所あるいは４ヶ所に付けられている、ひもまたはワイヤーで、請求項１に記載するエアコンの空気の流れをコントロールするためのメッシュ面アタッチメント部分を上下前後、またはひねりをきかせることが出来る構造を有している。
【請求項４】
エアコンスイッチのＯＮ、ＯＦＦの動作を妨げたり、センサーが誤作動を起こしたり、作動中のランプが見えなくならない状態である機構と形状になっている。
【請求項５】
請求項１に記載する「メッシュ面」の素材は、風の流れをある程度、押さえながら、しかも風が柔らかく通り抜けるものを使用する。この「メッシュ面」を風が抜け通る度合いはこれを製品にした時点でユーザーの要望に応えられる強、中、弱などタイプ別販売方法とすべきものである。
【請求項６】
前記１の「メッシュ面」の部材は簡単に取り外して水洗い出来る構造を有している。
【請求項７】
請求項１に記載する「メッシュ面」は取り付けた後、美しく張りがあるよう、簡単にセッティング出来、「バネ線スチール棒」を利用して樹木の葉状のイメージをおこす構造を有しているものが基本の形状となる。しかし取り付け部材や「メッシュ面」の中心にある棒材を利用すれば、デザイン表現は限りなく変化出来る能力も有りしている。
【考案の詳細な説明】
【技術分野】
【０００１】  本考案は、一般的壁掛式エアコンに取付け可能な装着器具とエアコンから出る風の強さ、方向、質をコントロール出来るメッシュ面との合体で効果を発揮する「エアコン用・風コントロール・アタッチメント」に関するものである。
【背景技術】
【０００２】  従来、エアコンは空調機と云われるごとく、夏と冬の空気温度をコントロールすることが主目的であったがために、エアコンから出る風のコントロール役割に問題が多かった。【０００３】  上記エアコンは風の向きや風の強さが自動的に変化するものや、羽根状のものが吹き出し口に設置されていて、風の方向を変えられるものなどがありユーザーの健康に配慮する方向にはなって来た。なお最近では、羽根状のものを別に取付ける風の方向をコントロールするアタッチメントも市場に出ている。【０００４】  しかし、現在までの空調コントロールシステムでは、温度、風の強さ、風の方向についてはある程度コントロール出来る段階である。この３種類の能力に加えて身体にやさしい風の質やイメージもコントロール出来るシステムは見受けられない。この「エアコン用・風コントロール・アタッチメント」は、そんな幅広い目的の機能をシンプルなアタッチメントとして提供することを目的とする。【０００５】  風の強さや方向だけのコントロールでは冷房時に身体の側面だけ冷えすぎたり、また暖房時には乾燥し過ぎたりで体調を壊すなどの性能弱点がまだまだ見受けられる。また風を弱めるだけでは効果が薄いなどの弱点も見られる。【０００６】  本考案の「エアコン用・風コントロール・アタッチメント」システムは室内での風の流れや、強さや、質をコントロールして、身体の健康に役立つ道具としての位置づけを目的とするものである。また風調機能に於いて、樹木の葉形状が組立てシステムとしても、着脱システムとしても有効であることからも、風をコントロールする道具の基本形を樹木の葉形状として採用。機能から出て来た葉形状デザインを有効に利用すれば環境を意識した新しいユーザーが増えることにより身体的快適さのみならず視覚的、精神的に住空間をレベルの高いものに出来る。そんな理由から「エアコン用・風コントロール・アタッチメント」は社会的意義のある道具と成り得る。
【考案の開示】
【考案が解決しようとする課題】
【０００７】  上記課題を解決するために、本考案の請求項１に記載の「エアコン用・風コントロール・アタッチメント」は、一般的な壁掛式エアコンに対して、上下２本の取付け用金属棒材（以下「エアコンはさみ込み棒」と記す）を左右２本のゴム材で継ぎ、エアコンを上下から挟み込む形で取り付ける。【０００８】  直接風調の機能をはたす、請求項１に記載の「メッシュ面」を取り付けるための「メッシュ面中心棒」は上記「エアコンはさみ込み棒」の下側部材の左右に足の役目となる金属棒材（以下「設置脚」と記す）を出してその先に取り付ける。【０００９】  壁掛式エアコンに対する取り付け用上下２本の「エアコンはさみ込み棒」と「メッシュ面中心棒」の合計３本の棒材は両端に小型金属リングを取り付けられてあり、そのリングの中にひもを通し、さらに「ひもストッパー」を利用することにより「メッシュ面中心棒」を上下前後に移動させることが出来る。また左右のひもあるいはワイヤー（以下「可動ひも」と記す）の引き方をコントロールすることにより「メッシュ面中心棒」を上下前後、斜めの位置に動かすことが出来る。その結果風の流れの幾通りもの方向と性質が得られる。【００１０】  請求項１に記載の「メッシュ面」は「メッシュ面中心棒」の両端に合計４個の穴が開いておりこの穴にバネ線（以下、「フレーム用バネ線」と記す）を２本差し込むことにより、シンプルに樹木の葉状の形状が出来るため、そこにメッシュ生地を張ることが出来る構造となっている。【００１１】  請求項１に記載の「メッシュ面」は、自重で下を向く構造になっているため、その力を応用してながら「メッシュ面」下部フレームセンターに「重り」を付けることと、さらに１本の細いひもを「重り」と「エアコンはさみ込み棒」との間に取り付けることにより、「メッシュ面」の角度を調節する構造が可能となる。【００１２】  請求項１に記載の「メッシュ面」は、まわりが袋縫いになっており、その中に（００１０）項に記載の「フレーム用バネ線」を先ず通して「メッシュ面中心棒」の穴に差し込む操作のみで簡単に組み立てられ、「メッシュ面」を水洗いする作業が楽になる利点を持つ構造になっている。
【考案を実施するための最良の形態】
【００１３】  本考案の実施例を以下に説明する
【実施例】
【００１４】  図１は本考案の実施例における、効率良く張られた「メッシュ面」１が一般的平均サイズの壁掛式エアコンに、取り付けられたところを示す斜視図である。図１の中で円形点線でかこむ部分は次の図２、図３で図示する。詳細部分の位置を明示している。【００１５】  図１Ａに示した「エアコン用・風コントロール・アタッチメント」の説明図は目的用途別に分類した側面図、図１Ａ−１、図１Ａ−２、図１Ａ−３である。図１Ａー１は、一般的壁掛式エアコンの上下をはさみ込むことにより、誰にでも簡単に取り付けることが出来る目的用途を持った部分の部材説明図である。図１Ａ−２は図１Ａ−１に示した、組立部材５、６から最終目的の「メッシュ面」１部分１、２を設置する脚（以後「設置脚」４と記す）の役目と、その脚を利用して「メッシュ面」１、２を簡単に上下移動出来る「可動ひも」７の役目を表した部分の説明図である。図１Ａー３はエアコンから出る風コントロールをする最終目的の「メッシュ面」１、２部分が前後方向に回転する可変方式の説明図である。【００１６】  図２と図３は「エアコン用・風コントロール・アタッチメント」の各部材の詳細説明と組立て方式の詳細を説明するための斜視図及び、側面図であるが、【００１７】  図２に於いては、詳細・図２−１、詳細・図２−２、詳細・図２−３の３ヶ所の説明図である。
詳細・図２−１では、エアコン「はさみ込み棒」上下２本５及び６をひっぱって固定させる「ひっぱりゴム」９を上部「上エアコンはさみ込み棒」５に取り付けた状態を示す。また「上エアコンはさみ込み棒」５の先端を隠す役目と７や９の部材が抜けることのないようにする役目で、棒の直径より少々大くしてある「上エアコンはさみ込み棒キャップ」５′そして、「メッシュ面中心棒」３を上下に動かす為の役割をはたす「可動ひも」７を「メッシュ面中心棒」３に取り付けるための「ひもひっかけ具」７′の位置関係の詳細を説明したものである。詳細・図２−２では下部「下エアコンはさみ込み棒」６とその「下エアコンはさみ込み棒キャップ」６′、「ひっぱりゴム」９、「設置脚」４、「可動ひも」７、「ひもひっかけ具」７′、「ひもストッパー」８の位置関係を示した斜視図とそれ等の部分を側面から見た位置と機能の詳細説明図である。詳細・図２−３では「メッシュ面」１を張るためのフレームとしてのスチール「フレーム用バネ線」３、その「フレーム用バネ線」３を通す目的でメッシュ面を加工した部分が「メッシュ面袋縫い」１′である。この１′は糸で縫うかあるいは、ホット接着剤で仕上げるかいずれの方法でも可能である。パイプの上下から両先端部分に穴「バネ線固定穴」３′を開けただけで「フレーム用バネ線」３を差し込むと「メッシュ面」１が完全に固定出来るシステムである。「フレーム用バネ線」３を「バネ線固定穴」３′に入れ易くする為に使用するメッシュ素材を「メッシュ面の伸縮方向」１″に示す伸縮性のあるものとする。【００１８】  図３に於いては、詳細・図３−１、詳細・図３−２の２つの役割用途の説明図と詳細・図３−３では「メッシュ面」１の自重と「センター重り」１０によるバランス状態を示した説明図である。
詳細・図３−１の「メッシュ面」１は「メッシュ面中心棒」２を中心に、回転させることが出来るが、この図は特に後に倒して上向きになった場合の機能を明示した説明図である。エアコンを暖房に利用する場合、風をなるべく下方向に送ることが理想的であるため「メッシュ面」１を後に倒し上向きにする、そんな場合の説明図である。「メッシュ面」１を後に倒す場合、「回転用ひも取り付け具」１１に「回転用ひも」１１′を付け、さらに「上エアコンはさみ込み棒」５のセンター位置にある「ひも、ひっかけ具」７′に「回転用ひも」１１′を通し、「回転用ひもストッパー」１１″につけ「回転用ひも」１１′の長さを矢印で示す如く調節して「メッシュ面」１を後に倒すことが出来る。詳細・図３−２は同上の用途とは逆でエアコンをクーラーとして使用する場合「回転用ひも」１１′の取り付け部分が、暖房とは違い「ひも、ひっかけ具」７′、兼メッシュ面バランス用「重り」１０と「下エアコンはさみこみ棒」６という位置関係の違いで前方向に倒し、風を上方向に流すことが出来る。※詳細・図３−３は、「メッシュ面」１のメッシュ布はひっぱって張る為「フレーム用バネ線」３が少々手前側に傾く、その為に「メッシュ面」１が手前に倒れる。そこで「センター重り」１０を取り付けることにより「メッシュ面」１の角度が安定しやすい位置に来る。そんな利点を表した図面である。【００１９】  図３Ａでは詳細・図３−１で説明した使用事例で天井が近くにある為や、エアコンの位置が高く取り付け作業が無理な場合に、エアコンの下側で取り付けを行える方向を説明した斜視図と側面図である。「メッシュ面」１を後に倒して、面を上に向ける場合、「回転用ひも」１１′の長いものを利用すれば、下側の「下エアコンはさみこみ棒」６にある「ひも、ひっかけ具」７′に取り付けることにより、取り付け作業性が良くなる。但し「回転用ひも」１１′の長いものが必要となる。これは請求項３の１行目に３ヶ所あるいは４ヶ所と記したことを意味する。エアコンと天井面とに充分ゆとりのある所では、図３Ａで説明する長い「回転用ひも」１１′は不必要となる。【００２０】  図４は「エアコン用・風コントロール・アタッチメント」全体を組立て、エアコンに取り付けた後にエアコン始動した結果、風の流れや質がどう変化するかを表す説明図である。【００２１】  「メッシュ面」１を利用した最大の特徴は、図４と図５に示す通りエアコンから出る風が図４−１、図４−２双方に示す如く望ましい風の方向ｂに流れると同時に、「メッシュ面」１の中を通り抜けて、ゆっくりとやわらかい質に変化した空気の流れＣが生まれることである。このＣの流れは身体にやさしく爽やかな室内空間を造ってくれるものである。【００２２】  もう一つ「メッシュ面」１の持つ優れたポイントは、図４に明示している如く、Ｃの風はエアコン起動中は常に「メッシュ面」１を通過している。それを利用して、「メッシュ面」１にお茶を霧吹き道具で吹き付けておくことにより爽やかなアロマテラピー効果と茶カテキンによる殺菌効果が得られて、ローコストで住空間に爽やかさと清潔さとの両面を得ることができるものである。しかもこの「メッシュ面」１は取り外し、取り付けが簡単なため気軽に洗っ���、気持ち良く、利用出来る利点も備わっている。【００２３】  この「エアコン用・風コントロール・アタッチメント」は図５に示す通り「メッシュ面」１の高さ調節用「可動ひも」７の調節度合を左右で替えること及び「回転用ひも」１１′の上下を替えることにより、風を単なる上下関係だけでなく左上方向、右上方向、左下方向、右下方向へも替えることが出来る特長を持っている。【００２４】  図６は図１に示した、一般的壁掛エアコンに取り付ける「エアコン用・風コントロール・アタッチメント」システムの最も重要な「メッシュ面」１と「メッシュ面中心棒」２と２′、「フレーム用バネ線」３、３′のメッシュ面セット及び、そのセットが上下移動と前後回転を行うための部材１０、１１、１１′、１１″をそのまま利用して、一般的な天井付けエアコンに「エアコン用・風コントロール・アタッチメント」としての目的で利用した場合の組立て図である。但し、部材４、４′、７、７′の用途のものを利用する場合は天井付けエアコンのサイズに合わせて、長さの違うものを使用する必要がある。部材１９は「メッシュ面」１全体を支えるための「天井付きエアコン用長いバネ線」、２０は「長いバネ線を天井付きエアコンに取り付けるフック」である。【００２５】  図７は「メッシュ面」１をはずして「設置脚」４を長いものに取り替えて「メッシュ面中心棒」２に下部にパイプとタペストリー用重りの付いた別のメッシュ布を取り付けることにより、全く新しいインテリア用壁掛けタペストリーの役割と「エアコン用・風コントロール・アタッチメント」の役割を果たす道具に変身することが出来るものである。その他インテリアデザインとしての変身は無数に有り得る機構となっている。但し、この場合は、エアコンのセンサーに影響の無い位置の付け方が必要である。【００２６】  図８は樹木の葉形状になっている「メッシュ面」１をより効果的に利用して、メッシュ面に葉のイメージをデザインした事例である。こんな葉形状のデザインが社会に浸透することで本「エアコン用・風コントロール・アタッチメント」は環境意識向上に役立つ道具である。
【図面の簡単な説明】
【００２７】
【図１】一般的壁掛用エアコンに本考案「エアコン用・風コントロール・アタッチメント」を取り付けた全体の斜視図である。
【図１Ａ】「エアコン用・風コントロール・アタッチメント」にあって大別する３通りの目的用途別部材説明図。
【図２】「エアコン用・風コントロール・アタッチメント」の各部材の関連詳細を作図した斜視図及び側面図である。
【図３】この図も上記、図２に引き続き、各部材の関連詳細図である。
【図３Ａ】この図は図３の関連詳細図である。
【図４】この図は「エアコン用・風コントロール・アタッチメント」の最終目的である風の流れやコントロールの種類を説明した側面図である。
【図５】この図も上記、図４と同じく、風の流れのコントロールの種類を説明した側面図である。
【図６】一般的天井付けエアコンにこの「エアコン用・風コントロール・アタッチメント」を利用した場合の説明図である。
【図７】「エアコン用・風コントロール・アタッチメント」の部品を利用した新しいインテリア装飾機能も兼ねた使い方の図である。
【図８】「エアコン用・風コントロール・アタッチメント」の葉形状ならではの表面デザイン例。ここに提出するのは以上１０枚の図面である。
【符号の説明】
【００２８】１              メッシュ面
１′            メッシュ面袋縫い
１″            メッシュ面の伸縮方向
２              メッシュ面中心棒
２′            メッシュ面中心棒キャップ
３              フレーム用バネ線
３′            バネ線固定穴
４              設置脚
４′            設置脚接合止め具
４″            設置脚接合止め具用穴
５              上エアコンはさみ込み棒
５′            上エアコンはさみ込み棒キャップ
６              下エアコンはさみ込み棒
６′            下エアコンはさみ込み棒キャップ
７              可動ひも
７′            ひも、ひかっけ具
８              ひもストッパー
９              ひっぱりゴム材
１０            センター重り
１１            回転用ひも取り付け具
１１′          回転用ひも
１１″          回転用ひもストッパー
１２            一般的壁掛用エアコン
１３            メッシュ面の上下移動方向を示す
１４            メッシュ面の回転方向を示す
１５            タペストリー感覚の大きなメッシュ面
１６            大きなメッシュ面の下部を支える棒材と重り
１７            大きなメッシュ面下部を安定させて吊すためのひも
１８            長い設置脚
１９            天井付きエアコン用長いバネ線
２０            長いバネ線を天井付きエアコンに取り付けるフック
２１            天井付けエアコン
ａ              エアコンから直接出た風
ｂ              エアコンの風がメッシュ面に当たって流れた風
上ｂ            エアコンの風がメッシュ面に当たり上に流れた風
下ｂ            エアコンの風がメッシュ面に当たり下に流れた風
左ｂ            エアコンの風がメッシュ面に当たり左に流れた風
ｃ              メッシュ面の中を通って出て来た風
【図１】
0003130053.tif 000003
【図１Ａ】
0003130053.tif 000004
【図２】
0003130053.tif 000005
【図３】
0003130053.tif 000006
【図３Ａ】
0003130053.tif 000007
【図４】
0003130053.tif 000008
【図５】
0003130053.tif 000009
【図６】
0003130053.tif 000010
【図７】
0003130053.tif 000011
【図８】
0003130053.tif 000012
【手続補正書】
【提出日】平成18年12月4日(2006.12.4)
【手続補正１】
【補正対象書類名】実用新案登録請求の範囲
【補正対象項目名】全文
【補正方法】変更
【補正の内容】
【実用新案登録請求の範囲】
【請求項１】
事務所や家庭で使われている壁掛式エアコンに取り付けられ、フレームに貼られたメッシュ面からなり、エアコンから出る風をコントロールするアタッチメント。
【請求項２】
前記アタッチメントは、エアコンをはさみ込む上下の棒状取付け具からなる請求項１に記載のアタッチメント。
【請求項３】
前記アタッチメントの取付け具は３ヶ所あるいは４ヶ所に付けられるひもまたはワイヤーで、可動ひもとメッシュ面中心棒によりメッシュ面アタッチメント部分を上下前後、またはひねりをきかせることが出来る構造を有している請求項１に記載のアタッチメント。
【請求項４】
エアコンスイッチのＯＮ、ＯＦＦの動作を妨げたり、センサーが誤作動を起こしたり、作動中のランプが見えなくならない状態である機構と形状からなる請求項１に記載のアタッチメント。
【請求項５】
前記メッシュ面の素材は、風の流れをある程度、押さえながら、しかも風が柔らかく通り抜けるものからなり、メッシュ面を風が抜け通る度合いは強、中、弱などタイプ別に構成された構造を有する請求項１に記載のアタッチメント。
【請求項６】
前記メッシュ面の部材は簡単に取り外して水洗い出来る構造を有している請求項１に記載のアタッチメント。
【請求項７】
前記メッシュ面は取り付けた後、樹木の葉状の形状となる請求項１に記載のアタッチメント。